(57)【要約】【課題】主に、係止状態における係止用爪片の外れを防止し得るようにする。【解決手段】係止用爪片５と、係止用爪片５を収容係止可能な爪孔部６とを備え、爪孔部６が、横桟部１２と、一対の縦桟部１３とを、平面視ほぼコ字に接続して成る枠状突起１４の内側に形成されると共に、爪孔部６が、係止用爪片５の幅寸法よりも若干長い横寸法と、係止用爪片５の厚さ寸法よりも若干短い縦寸法とを有する爪係止部構造であって、枠状突起１４を、弾性による変形復帰が可能な構造を有する弾性構造体２１としている。【選択図】図１
2008281173.tif 000002
【特許請求の範囲】
【請求項１】
係止用爪片と、該係止用爪片を収容係止可能な爪孔部とを備え、
該爪孔部が、横桟部と、一対の縦桟部とを、平面視ほぼコ字に接続して成る枠状突起の内側に形成されると共に、爪孔部が、係止用爪片の幅寸法よりも若干長い横寸法と、係止用爪片の厚さ寸法よりも若干短い縦寸法とを有する爪係止部構造において、
前記枠状突起を、弾性による変形復帰が可能な構造を有する弾性構造体としたことを特徴とする爪係止部構造。
【請求項２】
前記弾性構造体が、横桟部に、内側へ凹となる湾曲形状を呈して、弾性による変形復帰が可能なバネ辺部を有することを特徴とする請求項１記載の爪係止部構造。
【請求項３】
前記弾性構造体が、横桟部と縦桟部とのコーナー部分に、弾性変形を許容可能な樹脂ヒンジ部を有することを特徴とする請求項１または請求項２記載の爪係止部構造。
【発明の詳細な説明】
【技術分野】
【０００１】
この発明は、爪係止部構造に関するものである。
【背景技術】
【０００２】
自動車などの車両には、多数の電気接続箱が設けられている。このような電気接続箱は、少なくとも、回路基板と、この回路基板を収容保護する樹脂製の保護ケースとを備えている。
【０００３】
図６〜図８に示すように、このような保護ケース１には、上ケース２と下ケース３とを有して、両者を爪係止部４によって係止固定させるようにしたものが存在している。
【０００４】
この爪係止部４は、係止用爪片５と、この係止用爪片５を収容係止可能な爪孔部６とを備えている。この場合、係止用爪片５は、上ケース２に一体形成されている。また、爪孔部６は、下ケース３に一体形成されている。係止用爪片５と爪孔部６とは、それぞれ対応する位置に設けられている。
【０００５】
係止用爪片５は、主に、下ケース３に対する上ケース２の嵌合方向ａへ延びる突片部７によって構成されており、この突片部７の先端には、導入テーパ部８および係止面部９を有する爪部１０が設けられている。
【０００６】
そして、爪孔部６は、横桟部１２と、一対の縦桟部１３とを、平面視ほぼコ字に接続して成る枠状突起１４の内側に形成されている。この爪孔部６は、係止用爪片５の幅寸法よりも若干長い横寸法と、係止用爪片５の厚さ寸法よりも若干短い縦寸法とを有している。
【０００７】
ここで、横桟部１２と縦桟部１３とは、それぞれ、均一肉厚を有する直線状物とされている。また、横桟部１２と縦桟部１３とは、対応する端部において均一肉厚を維持しつつほぼ直角に交わるコーナー部分１５にて接続されている。即ち、横桟部１２と縦桟部１３とは、素材による弾性を若干有してはいるものの、端部間が互いの弾性変形を拘束し合うような強固な接続が成されているので、構造的には、弾性による変形が起こり難い構成とされている。
【０００８】
なお、上ケース２と下ケース３とは、図面の都合により、それぞれ形状を省略されている。図中、符号２ａは上ケース２の天板部、２ｂは上ケース２の側板部である。また、符号３ａは下ケース３の底板部、３ｂは下ケース３の側板部である。
【０００９】
このような構成において、図６〜図８に順に示すように、下ケース３に対して上ケース２を嵌合することにより、同時に、下ケース３の爪孔部６に上ケース２の係止用爪片５が収容係止され、下ケース３と上ケース２とが固定される。
【特許文献１】特開２００５−１８１２７０
【発明の開示】
【発明が解決しようとする課題】
【００１０】
しかしながら、上記爪係止部構造では、係止時に、図７、図８に順に示すように、縦桟部１３が撓んで外側へ膨らむことによって、爪部１０を爪孔部６へ通すようにしていたが、上記したように、枠状突起１４が弾性変形し難い構造を有しているため、爪部１０の通過後に、縦桟部１３が、図９に示すような元の状態には復帰せず、図１０に示すように、外側への膨らみが残った状態となってしまう。そのため、係止面部９と横桟部１２との間は、図９に示すような、充分なかかり代１６を得ることができず、図１０に示すように、かかり代１６が少なくなるので、図１１に示すように、爪係止部４が外れ易くなるという問題があった。
【課題を解決するための手段】
【００１１】
上記課題を解決するために、請求項１に記載された発明では、係止用爪片と、該係止用爪片を収容係止可能な爪孔部とを備え、該爪孔部が、横桟部と、一対の縦桟部とを、平面視ほぼコ字に接続して成る枠状突起の内側に形成されると共に、爪孔部が、係止用爪片の幅寸法よりも若干長い横寸法と、係止用爪片の厚さ寸法よりも若干短い縦寸法とを有する爪係止部構造において、前記枠状突起を、弾性による変形復帰が可能な構造を有する弾性構造体としたことを特徴としている。
【００１２】
請求項２に記載された発明では、前記弾性構造体が、横桟部に、内側へ凹となる湾曲形状を呈して、弾性による変形復帰が可能なバネ辺部を有する請求項１記載の爪係止部構造を特徴としている。
【００１３】
請求項３に記載された発明では、前記弾性構造体が、横桟部と縦桟部とのコーナー部分に、弾性変形を許容可能な樹脂ヒンジ部を有する請求項１または請求項２記載の爪係止部構造を特徴としている。
【発明の効果】
【００１４】
請求項１の発明によれば、係止用爪片と、該係止用爪片を収容係止可能な爪孔部とを備え、該爪孔部が、横桟部と、一対の縦桟部とを、平面視ほぼコ字に接続して成る枠状突起の内側に形成されると共に、爪孔部が、係止用爪片の幅寸法よりも若干長い横寸法と、係止用爪片の厚さ寸法よりも若干短い縦寸法とを有する爪係止部構造において、前記枠状突起を、弾性による変形復帰が可能な構造を有する弾性構造体としたことにより、以下のような作用効果を得ることができる。即ち、枠状突起を弾性構造体として、弾性による変形復帰を行わせ得るようにしたことにより、係止用爪片の通過後に、枠状突起をほぼ完全に元の状態に復帰させることが可能となるので、係止用爪片のかかり代が少なくなって外れ易くなることを防止することができる。以て、係止状態における係止用爪片の爪孔部からの外れの問題をほぼ解消することが可能となる。
【００１５】
請求項２の発明によれば、前記弾性構造体が、横桟部に、内側へ凹となる湾曲形状を呈して、弾性による変形復帰が可能なバネ辺部を有することにより、湾曲形状のバネ辺部が、ほぼ真直ぐに伸びたり湾曲形状に戻ったりすることで、枠状突起を、弾性による変形復帰が可能なものとすることができる。また、横桟部を、湾曲形状のバネ辺部とすることにより、大きな変形復帰量を確保することができる。更に、横桟部を、内側へ凹となる湾曲形状とすることにより、直線形状の場合に比べて大きなかかり代を確保することができる。
【００１６】
請求項３の発明によれば、前記弾性構造体が、横桟部と縦桟部とのコーナー部分に、弾性変形を許容可能な樹脂ヒンジ部を有することにより、コーナー部分の樹脂ヒンジ部によって横桟部と縦桟部との端部どうしが近接離反動することで、枠状突起を、弾性による変形復帰が可能なものとすることができる。
【発明を実施するための最良の形態】
【００１７】
以下、本発明を具体化した実施例について、図示例と共に説明する。
【実施例】
【００１８】
図１〜図５は、この発明の実施例を示すものである。
【００１９】
まず、構成について説明する。
【００２０】
自動車などの車両には、多数の電気接続箱が設けられている。このような電気接続箱は、少なくとも、回路基板と、この回路基板を収容保護する樹脂製の保護ケースとを備えている。
【００２１】
図１〜図３に示すように、このような保護ケース１には、上ケース２と下ケース３とを有して、両者を爪係止部４によって係止固定させるようにしたものが存在している。
【００２２】
この場合、上ケース２は蓋体などとされ、下ケース３は容器体などとされている。上ケース２は、天板部２ａと両側板部２ｂとを有する下向きＵ字断面形状を呈している。また、下ケース３は、底板部３ａと両側板部３ｂとを有する上向きＵ字断面形状を呈している。そして、上ケース２は、下ケース３よりも一回り大きく形成されて、下ケース３に外嵌され得るように構成されている。即ち、組付完了状態で、上ケース２の側板部２ｂの内面が、下ケース３の側板部３ｂの外面に、ほぼ摺接した状態で嵌合され得るように構成されている。なお、図面の都合により、上ケース２および下ケース３は、その形状を省略して描かれている。即ち、上ケース２は、実際よりもかなり狭幅に描かれていると共に、下ケース３は、断面の半分のみが描かれている。保護ケース１については、これに限るものではない。
【００２３】
上記した爪係止部４は、係止用爪片５と、この係止用爪片５を収容係止可能な爪孔部６とを備えている。
【００２４】
この場合、係止用爪片５は、上ケース２の側板部２ｂ（の下端部）に一体形成されている。また、爪孔部６は、下ケース３の側板部３ｂ（の外面部分）に一体形成されている。係止用爪片５と爪孔部６とは、それぞれ対応する位置に設けられている。
【００２５】
係止用爪片５は、主に、下ケース３に対する上ケース２の嵌合方向ａへ延びる突片部７によって構成されており、この突片部７の先端には、導入テーパ部８および係止面部９を有する爪部１０が設けられている。係止用爪片５は、全体にほぼ均一幅のものとされている。突片部７は、均一肉厚を有するものとされている。爪部１０は、この突片部７から外方へ張出すように形成されている。
【００２６】
そして、爪孔部６は、横桟部１２と、一対の縦桟部１３とを、平面視ほぼコ字に接続して成る枠状突起１４の内側に形成されている。横桟部１２は、一対の縦桟部１３の先端部間に接続される。横桟部１２と縦桟部１３とは、それぞれほぼ均一肉厚を有するものとされている。なお、一対の縦桟部１３の基端部間に、補強桟部１４ａを設けて、枠状突起１４を平面視ほぼロ字などとしても良い。この場合、補強桟部１４ａは、下ケース３の側板部３ｂの肉厚を利用することができるため、また、側板部３ｂと係止用爪片５との間の隙間が余り大きくならないようにするため、などの理由により、薄肉に構成されている。
【００２７】
この際、爪孔部６は、係止用爪片５の（最大）幅寸法よりも若干長い横寸法と、係止用爪片５の（爪部１０を含めた最大）厚さ寸法よりも若干短い縦寸法とを有している。なお、この場合の横寸法は、直線距離を示している。
【００２８】
また、爪係止部４を係止固定状態とした時に、係止用爪片５の爪部１０における係止面部９が、枠状突起１４における横桟部１２の図中下面側に対して、所要のかかり代を有して係止されるような寸法関係に設定されている。
【００２９】
以上の構成は、上記した従来例のものとほぼ同様である。
【００３０】
そして、以上のような基本構成に対し、この実施例のものでは、上記した枠状突起１４を、弾性による変形復帰が可能な構造を有する弾性構造体２１とする。即ち、素材による弾性を消極的に利用するのではなく、構造としての弾性を積極的に利用し得るようなものとする。
【００３１】
より具体的には、例えば、図４、図５に示すように、弾性構造体２１が、横桟部１２に、内側へ凹となる湾曲形状を呈して、弾性による変形復帰が可能なバネ辺部２２を有する構成とする。
【００３２】
この場合、バネ辺部２２は、係止用爪片５の爪部１０における導入テーパ部８が差込可能な程度の湾曲形状とする。
【００３３】
そして、弾性構造体２１が、横桟部１２と縦桟部１３とのコーナー部分１５（またはその近傍）に、弾性変形を許容可能な樹脂ヒンジ部２４を有する構成とする。
【００３４】
この場合、樹脂ヒンジ部２４は、上記コーナー部分１５における横桟部１２の両端部の内外両面に対し、縦向きの溝部２５を形成して部分的に薄肉化することによって形成されている。なお、縦向きの溝部２５は、片面側のみに設けるようにすることもできる。
【００３５】
また、横桟部１２のバネ辺部２２と、コーナー部分１５の樹脂ヒンジ部２４とは、両方設けるようにしても、そのいずれか一方を設けるようにしても良いが、両方設けることにより、それぞれの機能を倍加させることが可能となる。
【００３６】
次に、この実施例の作用について説明する。
【００３７】
図１〜図３に順に示すように、下ケース３に対して上ケース２を嵌合することにより、同時に、下ケース３の爪孔部６に上ケース２の係止用爪片５が収容係止され、下ケース３と上ケース２とが固定される。
【００３８】
この実施例によれば、係止用爪片５と、係止用爪片５を収容係止可能な爪孔部６とを備え、爪孔部６が、横桟部１２と、一対の縦桟部１３とを、平面視ほぼコ字に接続して成る枠状突起１４の内側に形成されると共に、爪孔部６が、係止用爪片５の幅寸法よりも若干長い横寸法と、係止用爪片５の厚さ寸法よりも若干短い縦寸法とを有する爪係止部構造において、枠状突起１４を、弾性による変形復帰が可能な構造を有する弾性構造体２１としたことにより、以下のような作用効果を得ることができる。
【００３９】
即ち、枠状突起１４を弾性構造体２１として、弾性による変形復帰を行わせ得るようにしたことにより、係止用爪片５の通過後に、枠状突起１４をほぼ完全に元の状態に復帰させることが可能となるので、枠状突起１４が元の状態に復帰しないことにより係止用爪片５のかかり代が少なくなって外れ易くなるようなことを防止することができる。以て、係止状態における係止用爪片５の爪孔部６からの外れの問題をほぼ解消することが可能となる。
【００４０】
より具体的には、例えば、図４、図５に示すように、弾性構造体２１が、横桟部１２に、内側へ凹となる湾曲形状を呈して、弾性による変形復帰が可能なバネ辺部２２を有することにより、湾曲形状のバネ辺部２２が、係止用爪片５の挿入に併せてほぼ真直ぐに伸びたり湾曲形状に戻ったりすることで、枠状突起１４を、弾性による変形復帰が可能なものとすることができる。
【００４１】
また、横桟部１２を、湾曲形状のバネ辺部２２とすることにより、大きな変形復帰量を確保することができる。
【００４２】
更に、横桟部１２を、内側へ凹となる湾曲形状とすることにより、横桟部１２が直線形状の場合に比べて大きなかかり代を確保することができる。
【００４３】
或いは、弾性構造体２１が、横桟部１２と縦桟部１３とのコーナー部分１５に、弾性変形を許容可能な樹脂ヒンジ部２４を有することにより、コーナー部分１５の樹脂ヒンジ部２４によって横桟部１２と縦桟部１３との端部どうしが近接離反動することで、枠状突起１４を、弾性による変形復帰が可能なものとすることができる。
【００４４】
更に、横桟部１２のバネ辺部２２と、コーナー部分１５の樹脂ヒンジ部２４とは、両方設けることが可能であり、これらを組合せることによって、枠状突起１４は、より大きな変形復帰量を得ることができると共に、弾性による変形復帰をより容易で自然なものとすることができる。
【００４５】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。
【図面の簡単な説明】
【００４６】
【図１】本発明の実施例にかかる爪係止部構造を部分的に拡大した分解状態の斜視図である。
【図２】図１の組付途中の状態を示す斜視図である。
【図３】図１の組付完了時の状態を示す斜視図である。
【図４】図１の枠状突起の平面図である。
【図５】図４の枠状突起が変形した状態を示す平面図である。
【図６】従来例にかかる爪係止部構造を部分的に拡大した分解状態の斜視図である。
【図７】図６の組付途中の状態を示す斜視図である。
【図８】図１の組付完了時の状態を示す斜視図である。
【図９】図６の枠状突起のかかり代を示す平面図である。
【図１０】図６の枠状突起の実際のかかり代を示す平面図である。
【図１１】図６の爪係止部構造が外れた状態を示す斜視図である。
【符号の説明】
【００４７】
５    係止用爪片
６    爪孔部
１２  横桟部
１３  縦桟部
１４  枠状突起
１５  コーナー部分
２１  弾性構造体
２２  バネ辺部
２４  樹脂ヒンジ部
【図１】
2008281173.tif 000003
【図２】
2008281173.tif 000004
【図３】
2008281173.tif 000005
【図４】
2008281173.tif 000006
【図５】
2008281173.tif 000007
【図６】
2008281173.tif 000008
【図７】
2008281173.tif 000009
【図８】
2008281173.tif 000010
【図９】
2008281173.tif 000011
【図１０】
2008281173.tif 000012
【図１１】
2008281173.tif 000013